(57)【要約】【課題】設置時、設置後の作業者の安全性を確保するとともに、ヒートポンプユニット本体で発生した振動がヒートポンプユニット基板の脚部に伝達されるのを緩和出来、低騒音、低振動のヒートポンプユニットの提供が可能となる。【解決手段】ヒートポンプ回路を主体としたヒートポンプユニット２２と給湯用水循環回路を主体とするタンクユニット２３とを配管で接続した構成をとるヒートポンプ給湯装置において、ヒートポンプユニット２２の底部の脚部１１を樹脂製カバー１２で覆った構成をもつことを特徴とする。これによって、設置時、設置後の安全性を確保するとともに、本体で発生した振動が基板の脚に伝達されるのを緩和出来、低騒音、低振動のヒートポンプユニットの提供が可能となる。【選択図】図２
2010085043.tif 000002
【特許請求の範囲】
【請求項１】
圧縮機、給湯用放熱器、減圧器および蒸発器を順次接続してヒートポンプ回路を形成し、更に前記ヒートポンプ回路により前記給湯用放熱器で加熱された温水を搬送する給水ポンプと温水を貯湯する給湯タンクとで給湯用水循環回路を形成し、これらの両回路によりヒートポンプ給湯装置を構成し、前記ヒートポンプ回路を主体としたヒートポンプユニットと前記給湯用水循環回路を主体とするタンクユニットとを配管で接続した構成をとるヒートポンプ給湯装置において、前記ヒートポンプユニットの底部の脚部をカバーで覆った構成をもつヒートポンプ給湯装置。
【請求項２】
カバーは、樹脂製とし底部の脚部の正面方向から嵌め込む構成とした請求項１記載のヒートポンプ給湯装置。
【請求項３】
カバーは、樹脂製とし底部の脚部の左右方向から嵌め込む構成とした請求項１記載のヒートポンプ給湯装置。
【請求項４】
カバーは、ゴム製とし底部の脚部の正面方向から嵌め込む構成とした請求項１記載のヒートポンプ給湯装置。
【請求項５】
カバーは、二重構造にして内側は樹脂製とし、その外側はゴム製とした請求項１記載のヒートポンプ給湯装置。
【発明の詳細な説明】
【技術分野】
【０００１】
本発明は、ヒートポンプ方式の給湯装置の底部の脚部の構造に関するものである。
【背景技術】
【０００２】
従来、この種のヒートポンプ給湯装置は、図７で示すように圧縮機１、給湯用放熱器２、減圧器３、および外気との熱交換を行う蒸発器４および送風機７によって形成されたヒートポンプユニット２２と、給湯用放熱器２で熱交換された温水を搬送する給水ポンプ５と貯湯タンク６とから形成されるタンクユニット２３からなり、前記給湯用放熱器２で圧縮機１により加熱された冷媒と給水ポンプ５からの水が熱交換され熱湯となって給湯タンク６に運ばれ貯湯される構成になっている。
そしてこのヒートポンプユニット２２とタンクユニット２３とが樹脂配管または銅配管で接続されている。ヒートポンプユニット２２の据付状態を示す概観図を図６に示す。
一般にこのヒートポンプユニットの脚部１１の材質は金属で作られている。その理由は強度の問題であるとともに製造上簡易であることに起因する。
然るに、設置時や設置後にこの脚によって怪我をする場合も多々ある。また、このヒートポンプユニット２２は前述したように圧縮機１、送風機７といった駆動回路が集結しているため、振動・騒音が大きな課題である。また、ヒートポンプ給湯機はその性質上深夜運転がメインとなるため、低騒音・低振動化はなおさら要求される。図５はヒートポンプユニット２２の底の部分の基板１４を示している。この要求に応えるべく、従来とられてきた手段としては、図６に示すように、脚１１と据付台１３の間に防振ゴム１５を咬ますものである（例えば特許文献１参照）。
【特許文献１】特開２００２−２７７００４号公報
【発明の開示】
【発明が解決しようとする課題】
【０００３】
しかしながら、前記従来の構成では防振ゴム１５は経時劣化を余儀なくされ、特に室外の過酷な気象条件にさらされるヒートポンプユニットでは、防振ゴム１５が破損したり、硬度が硬くなったりし、その防振性能を維持することが不可能となる。また、前述したように設置時や設置後にこの脚によって怪我をする場合の対策とはなっていないという課題を有していた。
【０００４】
本発明は、前記従来の課題を解決するもので、ヒートポンプユニット本体に追加としての防振ゴムを用いるのではなく、ヒートポンプユニット本体の脚部の構造を変えることにより、設置時、設置後の作業者の安全性を確保するとともに、振動のレベルを抑えた高い信頼性を持ったヒートポンプ給湯装置を提供することを目的とする。
【課題を解決するための手段】
【０００５】
前記従来の課題を解決するために本発明のヒートポンプ給湯装置は、圧縮機、給湯用放熱器、減圧器および蒸発器を順次接続してヒートポンプ回路を形成し、更に前記ヒートポンプ回路により前記給湯用放熱器で加熱された温水を搬送する給水ポンプと温水を貯湯する給湯タンクとで給湯用水循環回路を形成し、これらの両回路によりヒートポンプ給湯装置を構成し、前記ヒートポンプ回路を主体としたヒートポンプユニットと前記給湯用水循環回路を主体とするタンクユニットとを配管で接続した構成をとるヒートポンプ給湯装置において、ヒートポンプユニット側の底部の脚部を樹脂製カバーで覆った構成をもつことを特徴とする。
【０００６】
これによって、設置時、設置後の作業者の安全性を確保するとともに、本体で発生した
振動が基板の脚部に伝達されるのを緩和出来、低騒音、低振動のヒートポンプユニットの提供が可能となる。
【発明の効果】
【０００７】
本発明のヒートポンプ給湯装置は、設置時、設置後の作業者の安全性を確保するとともに、本体で発生した振動が基板の脚に伝達されるのを緩和出来、低騒音、低振動のヒートポンプユニットの提供が可能となる。
【発明を実施するための最良の形態】
【０００８】
第１の発明は、圧縮機、給湯用放熱器、減圧器および蒸発器を順次接続してヒートポンプ回路を形成し、更に前記ヒートポンプ回路により前記給湯用放熱器で加熱された温水を搬送する給水ポンプと温水を貯湯する給湯タンクとで給湯用水循環回路を形成し、これらの両回路によりヒートポンプ給湯装置を構成し、前記ヒートポンプ回路を主体としたヒートポンプユニットと前記給湯用水循環回路を主体とするタンクユニットとを配管で接続した構成をとるヒートポンプ給湯装置において、前記ヒートポンプユニットの底部の脚部をカバーで覆った構成をもつことにより、設置時、設置後の作業者の安全性を確保するとともに、本体で発生した振動が基板の脚部に伝達されるのを緩和出来、低騒音、低振動のヒートポンプ給湯装置の提供が可能となる。
【０００９】
第２の発明は、特に、第１の発明のカバーを樹脂製とし底部の脚部の正面方向から嵌め込む構成とすることにより、設置時、設置後の作業者の安全性を確保するとともに、本体で発生した振動が基板の脚に伝達されるのを緩和出来、低騒音、低振動のヒートポンプ給湯装置の提供が可能となる。
【００１０】
第３の発明は、特に、第１の発明のカバーを樹脂製とし底部の脚部の左右方向から嵌め込む構成とすることにより、設置時、設置後の作業者の安全性を確保するとともに、本体で発生した振動が基板の脚に伝達されるのを緩和出来、低騒音、低振動のヒートポンプ給湯装置の提供が可能となる。
【００１１】
第４の発明は、特に、第１の発明のカバーをゴム製とし底部の脚部の正面方向から嵌め込む構成とすることにより、設置時、設置後の作業者の安全性を確保するとともに、本体で発生した振動が基板の脚に伝達されるのを緩和出来、低騒音、低振動のヒートポンプ給湯装置の提供が可能となる。
【００１２】
第５の発明は、特に、第１の発明のカバーは、二重構造にして内側は樹脂製とし、その外側はゴム製とした構成をもつことにより、設置時、設置後の作業者の安全性を確保するとともに、本体で発生した振動が基板の脚に伝達されるのを緩和出来、低騒音、低振動のヒートポンプユニットの提供が可能となる。
【００１３】
以下、本発明の実施の形態について、図面を参照しながら説明する。なお、この実施の形態によって本発明が限定されるものではない。また、本発明の実施の形態１〜５におけるヒートポンプ給湯装置の概観図とシステム図は従来例と重複するものであるので図６と図７を用いる。
【００１４】
（実施の形態１）
図７で示すように圧縮機１、給湯用放熱器２、減圧器３、および外気との熱交換を行う蒸発器４および送風機７によって形成されたヒートポンプユニット２２と、給湯用放熱器２で熱交換された温水を搬送する給水ポンプ５と貯湯タンク６とから形成されるタンクユニット２３からなり、前記給湯用放熱器２で圧縮機１により加熱された冷媒と給水ポンプ５からの水が熱交換され熱湯となって給湯タンク６に運ばれ貯湯される構成になっている
。
【００１５】
そしてこのヒートポンプユニット２２とタンクユニット２３とが樹脂配管または銅配管で接続されている。ヒートポンプユニット２２の据付状態を示す概観図を図６に示す。
一般にこのヒートポンプユニットの脚部１１の材質は金属で作られている。その理由は強度の問題であるとともに製造上簡易であることに起因する。
【００１６】
図１は本発明の第１の実施の形態におけるヒートポンプユニット２２の脚部１１の斜視図である。脚部１１は、ヒートポンプユニット本体２２に取り付ける上平面部１１ａと据付台１３にボルトで固定するための固定部１１ｂが設けられている。また脚部は全体として強度を持たせるためにフランジ１１ｃで囲まれている。この固定部１１ｂの先端に、樹脂製のカバー１２を取り付けた構成にする。
【００１７】
図２（ａ）は、本発明の第１の実施の形態におけるヒートポンプユニット２２の脚部１１の部分斜視図、図２（ｂ）は脚部１１のＡ−Ａ線断面図である。脚部１１は、ヒートポンプユニット本体２２に取り付ける上平面部１１ａとボルトで固定するための固定部１１ｂが設けられている。また脚部１１は全体として強度を持たせるためにフランジ１１ｃで囲まれている。この固定部１１ｂの先端に、カバー１２を取り付けた構成にすることにより、設置時、設置後の作業者の安全性を確保するとともに、本体で発生した振動が基板の脚部１１に伝達されるのを緩和出来、低騒音、低振動のヒートポンプユニットの提供が可能となる。
【００１８】
（実施の形態２）
図２（ａ）は、本発明の第２の実施の形態におけるヒートポンプユニット２２の脚部１１の部分斜視図、図２（ｂ）は脚部１１のＡ−Ａ線断面図である。脚部１１は、ヒートポンプユニット本体２２に取り付ける上平面部１１ａとボルトで固定するための固定部１１ｂが設けられている。また脚部は全体として強度を持たせるためにフランジ１１ｃで囲まれている。この固定部１１ｂの先端に、樹脂製のカバー１２を脚部１１の正面方向から嵌めこむ構成とする。
【００１９】
ヒートポンプユニット２２は、従来のエアコン室外機等に比べ給湯用放熱器２等の重量構成部品が多いため５０ｋｇ以上の重量となり、１人の作業者で設置するには困難が伴う。よって、ヒートポンプユニット２２の片方向ずつ脚部１１を持ち上げカバー１２を取り付ける。本実施の形態ではカバー１２を脚部１１の正面方向から嵌め込むため１人の作業者でも簡単にカバー１２を取り付けることが出来、脚部１１の金属部分を覆うことが出来、設置時、設置後の作業者の安全性を確保するとともに、ヒートポンプユニット本体２２で発生した振動が基板１４の脚部１１に伝達されるのを緩和出来、低騒音、低振動のヒートポンプユニットの提供が可能となる。
【００２０】
（実施の形態３）
図３（ａ）は、本発明の第３の実施の形態におけるヒートポンプユニット２２の脚部１１の部分斜視図、図３（ｂ）は脚部１１のＡ−Ａ線断面図である。脚部１１は、ヒートポンプユニット本体２２に取り付ける上平面部１１ａとボルトで固定するための固定部１１ｂが設けられている。また脚部は全体として強度を持たせるためにフランジ１１ｃで囲まれている。この固定部１１ｂの先端に、樹脂製のカバー１２を脚部１１の左右方向から嵌めこむ構成とする。
【００２１】
ヒートポンプユニット２２は、従来のエアコン室外機等に比べ給湯用放熱器２等の重量構成部品が多いため５０ｋｇ以上の重量となり、１人の作業者で設置するには困難が伴う。よって、ヒートポンプユニット２２の片方向ずつ脚部１１を持ち上げカバー１２を取り
付ける。本実施の形態ではカバー１２を脚部１１の左右方向から嵌め込むため１人の作業者でも簡単にカバー１２を取り付けることが出来、脚部１１の金属部分を覆うことが出来、設置時、設置後の作業者の安全性を確保するとともに、ヒートポンプユニット本体２２で発生した振動が基板１４の脚部１１に伝達されるのを緩和出来、低騒音、低振動のヒートポンプユニットの提供が可能となる。
【００２２】
（実施の形態４）
図２（ａ）は、本発明の第４の実施の形態におけるヒートポンプユニット２２の脚部１１の部分斜視図、図２（ｂ）は脚部１１のＡ−Ａ線断面図である。脚部１１は、ヒートポンプユニット本体２２に取り付ける上平面部１１ａとボルトで固定するための固定部１１ｂが設けられている。また脚部は全体として強度を持たせるためにフランジ１１ｃで囲まれている。この固定部１１ｂの先端に、ゴム製のカバー１２を脚部１１の正面方向から嵌めこむ構成とすることにより、設置時、設置後の作業者の安全性を確保するとともに、ヒートポンプユニット本体２２で発生した振動が基板１４の脚部１１に伝達されるのを緩和出来、低騒音、低振動のヒートポンプユニットの提供が可能となる。また、カバー１２をゴム製とするため、樹脂製に比べ低騒音・低振動の効果が改善する。
【００２３】
（実施の形態５）
図４（ａ）は、本発明の第５の実施の形態におけるヒートポンプユニット２２の脚部１１の部分斜視図、図４（ｂ）は脚部１１のＡ−Ａ線断面図である。脚部１１は、ヒートポンプユニット本体２２に取り付ける上平面部１１ａとボルトで固定するための固定部１１ｂが設けられている。また脚部は全体として強度を持たせるためにフランジ１１ｃで囲まれている。この固定部１１ｂの先端に、ゴム製のカバー１２ａを取り付け、その内側の脚部１１に接する部分を樹脂１２ｂで構成した二層の材料仕様としたカバー１２を取り付けた構成にすることにより、設置時、設置後の作業者の安全性を確保するとともに、本体で発生した振動が基板の脚部１１に伝達されるのを緩和出来、低騒音、低振動のヒートポンプユニットの提供が可能となる。カバー１２の内側を樹脂、外側をゴム製とすることで、金属製の脚部１１によるバリ等によるカバー１２の損傷を防止すると同時に外側のゴム部分で低騒音・低振動により効果を得ることが出来る。
【産業上の利用可能性】
【００２４】
以上のように本発明にかかるヒートポンプ給湯装置は、設置時、設置後の作業者の安全性を確保するとともに、ヒートポンプユニット本体で発生した振動が基板の脚部に伝達されるのを緩和出来、低騒音、低振動のヒートポンプ給湯装置の提供が可能となるので、エンジンコージェネレーション装置の本体や燃料電池コージェネレーション装置の本体等の用途にも適用できる。
【図面の簡単な説明】
【００２５】
【図１】本発明の実施の形態１におけるヒートポンプ給湯装置の脚部の斜視図
【図２】（ａ）本発明の実施の形態１、２、４におけるヒートポンプ給湯装置の脚部の部分斜視図（ｂ）同脚部におけるＡ−Ａ線断面図
【図３】（ａ）本発明の実施の形態３におけるヒートポンプ給湯装置の脚部の部分斜視図（ｂ）同脚部におけるＡ−Ａ線断面図
【図４】（ａ）本発明の実施の形態５におけるヒートポンプ給湯装置の脚部の部分斜視図（ｂ）同脚部におけるＡ−Ａ線断面図
【図５】（ａ）従来のヒートポンプ給湯装置の基板を示す正面図（ｂ）同基板を示す底面図（ｃ）同基板を示す側面図
【図６】従来のヒートポンプ給湯装置の据付状態を示す外観図
【図７】従来のヒートポンプ給湯装置のシステム構成図
【符号の説明】
【００２６】
１  圧縮機
２  給湯用熱交換器
３  減圧器
４  蒸発器
５  給水ポンプ
６  給湯タンク
７  送風機
１１  脚部
１２  カバー
１２ａ  ゴム製のカバー
１２ｂ  樹脂部
２０  ヒートポンプ回路
２１  給湯用水循環回路
２２  ヒートポンプユニット
２３  タンクユニット
【図１】
2010085043.tif 000003
【図２】
2010085043.tif 000004
【図３】
2010085043.tif 000005
【図４】
2010085043.tif 000006
【図５】
2010085043.tif 000007
【図６】
2010085043.tif 000008
【図７】
2010085043.tif 000009